(57)【要約】【課題】放射性物質収容物に収容された内容物の平均放射能濃度を、不均一な放射能濃度分布、形状であっても簡便に推定することを可能にする方法及びシステムを提供する。【解決手段】ループ状あるいはらせん状に配設された放射線検出器１の内部に放射性物質収容物４を挿通しつつ重量計測手段３上に設置し、重量計測手段３で放射性物質収容物４の重量を計測するとともに放射線検出器１で放射性物質収容物４の表面線量率を計測し、重量と表面線量率から内容物の放射能濃度を推定するようにした。【選択図】図１
2017215149.tif 000002
【特許請求の範囲】
【請求項１】
放射性物質収容物に収容された内容物の放射能濃度を推定する方法であって、
ループ状あるいはらせん状に配設された放射線検出器の内部に前記放射性物質収容物を挿通しつつ重量計測手段上に設置し、
前記重量計測手段で前記放射性物質収容物の重量を計測するとともに前記放射線検出器で放射性物質収容物の表面線量率を計測し、
前記重量と前記表面線量率から前記内容物の放射能濃度を推定するようにしたことを特徴とする放射性物質収容物に収容された内容物の放射能濃度推定方法。
【請求項２】
放射性物質収容物に収容された内容物の放射能濃度を計測するためのシステムであって、
ループ状あるいはらせん状に配設された放射線検出器と、
前記放射線検出器の下方に設けられ、前記放射線検出器の内部に前記放射性物質収容物を挿通して設置するとともに前記放射性物質収容物の重量を計測する重量計測手段と、
前記重量計測手段で計測した前記放射性物質収容物の重量と、前記放射線検出器で計測した前記放射性物質収容物の表面線量率の計測データを取得するとともに、前記放射性物質収容物の重量と前記放射性物質収容物の表面線量率から前記内容物の放射能濃度を求める放射能濃度算出手段とを備えることを特徴とする放射性物質収容物に収容された内容物の放射能濃度計測システム。
【発明の詳細な説明】
【技術分野】
【０００１】
本発明は、放射性物質収容物に収容された内容物の放射能濃度を推定する方法、及び放射性物質収容物に収容された内容物の放射能濃度を計測するシステムに関する。
【背景技術】
【０００２】
放射性物質を含む廃棄物や汚染土壌等が封入されている容器などの放射性物質収容物に対し、その表面放射線量率（放射性物質収容物の周囲の放射線量率）を計測し、表面放射線量率と重量を用いた式や換算係数を用いることによって簡便に放射性物質収容物内の内容物の平均放射能濃度を推定する手法が知られ、内容物の放射能濃度を推定するために多用されている（例えば、特許文献１参照）。
【先行技術文献】
【特許文献】
【０００３】
【特許文献１】特開２０１５−００７５３５号公報
【発明の概要】
【発明が解決しようとする課題】
【０００４】
しかしながら、上記従来の内容物の放射能濃度の推定方法は、あくまでも、形状や内容物が一定で放射能濃度が均一のものにその適用が限られ、形状や量が変化した場合や計測位置が異なる場合には、結果に大きな誤差が生じてしまうという問題があった。
【０００５】
また、これを解決するために、形状や体積を計測し、放射線量率を広範囲で計測する装置も開発されているが、装置が非常に大がかりとなる上、コストが大幅に増大するという問題があった。
【０００６】
本発明は、上記事情に鑑み、放射性物質収容物に収容された内容物の平均放射能濃度を、不均一な放射能濃度分布、形状であっても簡便に推定することを可能にする方法及びシステムを提供することを目的とする。
【課題を解決するための手段】
【０００７】
上記の目的を達するために、この発明は以下の手段を提供している。
【０００８】
本発明の放射性物質収容物に収容された内容物の放射能濃度推定方法は、放射性物質収容物に収容された内容物の放射能濃度を推定する方法であって、ループ状あるいはらせん状に配設された放射線検出器の内部に前記放射性物質収容物を挿通しつつ重量計測手段上に設置し、前記重量計測手段で前記放射性物質収容物の重量を計測するとともに前記放射線検出器で放射性物質収容物の表面線量率を計測し、前記重量と前記表面線量率から前記内容物の放射能濃度を推定するようにしたことを特徴とする。
【０００９】
本発明の放射性物質収容物に収容された内容物の放射能濃度計測システムは、放射性物質収容物に収容された内容物の放射能濃度を計測するためのシステムであって、ループ状あるいはらせん状に配設された放射線検出器と、前記放射線検出器の下方に設けられ、前記放射線検出器の内部に前記放射性物質収容物を挿通して設置するとともに前記放射性物質収容物の重量を計測する重量計測手段と、前記重量計測手段で計測した前記放射性物質収容物の重量と、前記放射線検出器で計測した前記放射性物質収容物の表面線量率の計測データを取得するとともに、前記放射性物質収容物の重量と前記放射性物質収容物の表面線量率から前記内容物の放射能濃度を求める放射能濃度算出手段とを備えることを特徴とする。
【発明の効果】
【００１０】
本発明の放射性物質収容物に収容された内容物の放射能濃度推定方法、及び放射性物質収容物に収容された内容物の放射能濃度計測システムによれば、ループ状あるいはらせん状に配設されたシンチレーションファイバー検出器などの放射線検出器を用いて放射性物質収容物の表面放射線量率（放射性物質収容物の周囲の放射線量率）を計測することによって、放射性物質収容物の形状や放射性物質収容物内の放射能濃度が不均一である場合であっても、放射性物質収容物の表面放射線量率を簡便に且つ精度よく計測することができる。
【００１１】
そして、放射線検出器によって求めた放射性物質収容物の平均表面放射線量率と、重量計測手段で計測した放射性物質収容物（内容物）の重量とから平均放射能濃度を算出することができ、これにより、小型で低コストの装置（システム）で効率的且つ精度よく放射性物質収容物に収容された内容物の平均放射能濃度を推定／計測することが可能になる。
【図面の簡単な説明】
【００１２】
【図１】本発明の一実施形態に係る放射性物質収容物に収容された内容物の放射能濃度推定方法、及び放射性物質収容物に収容された内容物の放射能濃度計測システムを示す図である。
【図２】本発明の一実施形態に係る放射性物質収容物に収容された内容物の放射能濃度推定方法、及び放射性物質収容物に収容された内容物の放射能濃度計測システムで計測した放射線量率を示す図である。
【図３】濃度や形状が異なる場合の放射線量率を示すコンター図である。
【図４】本発明の一実施形態に係る放射性物質収容物に収容された内容物の放射能濃度推定方法、及び放射性物質収容物に収容された内容物の放射能濃度計測システムで得られた重量と換算係数の関係を示す図である。
【発明を実施するための形態】
【００１３】
以下、図１から図４を参照し、本発明の一実施形態に係る放射性物質収容物に収容された内容物の放射能濃度推定方法、及び放射性物質収容物に収容された内容物の放射能濃度計測システムについて説明する。
【００１４】
ここで、本実施形態は、例えば放射性物質を含む廃棄物や汚染土壌等の放射性物質を収容した放射性物質収容物の表面放射線量率（周囲の放射線量率）を計測し、内容物の平均放射能濃度を効率的且つ精度よく推定、計測することを可能にする放射能濃度推定方法及び放射能濃度計測システムに関するものである。
【００１５】
本実施形態の放射能濃度計測システム（放射性物質収容物に収容された内容物の放射能濃度計測システム）Ａは、図１に示すように、シンチレーションファイバー検出器などの細長い放射線検出器１を備え、例えば、この放射線検出器１を円筒状の金網で形成した筒状計測部２の外周に取り付け、ループ状又はらせん状に配設して構成されている。
【００１６】
また、この放射能濃度計測システムＡは、筒状計測部２をロードセル重量計等の重量計測手段３の上に設置し、筒状計測部２の内部に放射性物質収容物４を挿入しつつ重量計測手段３上に載置することにより、その重量が計測可能とされている。
【００１７】
さらに、本実施形態の放射能濃度計測システムＡにおいては、制御装置５、パソコン（放射能濃度算出手段）６、放射性物質収容物４に取り付けた識別タグ７、識別タグ７を読み取るハンディターミナル８、パソコン６及びハンディターミナル８からデータ情報を受け取って記憶するサーバ９等を備えている。これにより、放射線検出器１や重量計測手段３で計測した計測結果、内容物の放射能濃度の算出結果、識別情報等を制御装置５で制御しつつ効率的、自動的に取得、記録できるように構成されている。
【００１８】
上記構成からなる本実施形態の放射能濃度計測システムＡを用いて放射性物質収容物４に収容された内容物の放射能濃度を推定、計測する際には（本実施形態の放射能濃度推定方法においては）、放射性物質収容物（保管容器）４を筒状計測部２、ひいては放射線検出器１の内部に挿入するとともに、重量計測手段３の上に載置する。
【００１９】
これにより、放射性物質収容物４を囲繞するように配された放射線検出器１によって放射性物質収容物４の周囲の放射線量率が計測され、且つ放射性物質収容物４（内容物）の重量が計測される。
【００２０】
そして、このようにすることで、放射性物質収容物４の表面放射線量率を広範囲な位置で同時に計測することができ、迅速に計測・記録が可能になる。また、放射性物質収容物４の表面放射線量率とともに放射性物質収容物４の重量を効率的に計測・記録することができる。
【００２１】
ここで、図２は、放射性物質収容物４内の平均放射能濃度を１０万Ｂｑ／ｋｇとして放射線量率分布をシミュレーションした結果を示している。この図では、土壌が満杯（１００％）から５％の間の様々な充填高さにおけるフレコン側面下から上に向かった放射線量率分布を実線（一次元）で示している。
【００２２】
また、図３（ａ）、図３（ｂ）はそれぞれ、放射性物質収容物４内に１０万Ｂｑ／ｋｇの収容物を１００％、５０％で充填した場合の放射線量率分布のコンター図である。
【００２３】
図３（ａ）、図３（ｂ）から、土壌が存在する部分は放射線量率が高く、土壌のない高い位置では放射線量率が低くなっていることが確認できる。
【００２４】
また、図４は、この形状の変化に伴う高さの変化を放射線量率分布で把握し、重量に応じて求めた換算係数曲線を示している。ここで、換算係数は放射性物質収容物全体平均の放射線量率と放射能濃度の比である。同様な手法で、内容物が木枝である場合の換算係数曲線も図４に示した。これらの結果から、重量と平均線量率から、平均放射能濃度を求めることができることが確認できる。
【００２５】
さらに、図３（ｃ）は、放射性物質収容物４内に２０万Ｂｑ／ｋｇの収容物を５０％、０Ｂｑ／ｋｇの収容物を５０％、計１００％で充填した場合の放射線量率分布図（コンター図）である。
【００２６】
この一次元分布は図２の破線で示した通りである。下半分は放射線量率が倍程度となるが上半分は土で遮蔽されて放射線量率が低くなっている。この破線と実線の１００％詰込は、土壌が同じ形状で同じ重量であり、放射線量率分布は異なるが平均化すると近い値になることが分かる。
【００２７】
これを図４の換算係数曲線上で示すと黒○プロットとなり、同じ土壌の換算係数曲線上に乗ることが確認できる。
【００２８】
したがって、本実施形態の放射性物質収容物に収容された内容物の放射能濃度推定方法、及び放射性物質収容物に収容された内容物の放射能濃度計測システムＡにおいては、放射性物質収容物４の形状や放射性物質収容物４内の放射能濃度の不均一さを、シンチレーションファイバー検出器等の放射線検出器１で精度をもって計測することができ、その平均線量率と重量から平均放射能濃度を導出することが可能になる。また、小型で低コストのシステムでこれを実現することができる。これにより、効率的且つ精度よく放射性物質収容物４の平均放射能濃度を計測することが可能になる。
【００２９】
以上、本発明に係る放射性物質収容物に収容された内容物の放射能濃度推定方法、及び放射性物質収容物に収容された内容物の放射能濃度計測システムの一実施形態について説明したが、本発明は上記の一実施形態に限定されるものではなく、その趣旨を逸脱しない範囲で適宜変更可能である。
【００３０】
例えば、ＬＥＤを組み合わせたシンチレーションファイバー検出器を放射線検出器１として用いると、このＬＥＤを組み合わせたシンチレーションファイバー検出器が長さ方向で検出される放射線の空間線量率の大きさに応じてＬＥＤが異なる色で発色するように構成されているため、これにより、長さ方向で検出される放射線の空間線量率の大きさ、放射線の空間線量率の分布を色の違いによって表すことも可能になる。
【符号の説明】
【００３１】
１    放射線検出器
２    筒状計測部
３    重量計測手段
４    放射性物質収容物
５    制御装置
６    パソコン（放射能濃度算出手段）
７    識別タグ
８    ハンディターミナル
９    サーバ
Ａ    放射性物質収容物に収容された内容物の放射能濃度計測システム
【図１】
2017215149.tif 000003
【図２】
2017215149.tif 000004
【図３】
2017215149.tif 000005
【図４】
2017215149.tif 000006